(57)【特許請求の範囲】
【請求項１】
内外張りビニールで構成し、この内外張りビニールの天井空間及び側面空間を設けた二重ビニール張り構造のハウスにおいて、
この内張りビニールの妻面を開口部とするとともに、この内張りビニールの妻面と、前記外張りビニールの妻面の間に、多目的スペースを設け、
前記外張りビニールの棟方向の側面は、この側面箇所を構成する外張りビニール部位を、巻取り、又は巻戻しによる開閉口を介して、開閉自在とするとともに、前記内張りビニールの棟方向の側面は、この側面に開放した開口部を介して、開放する構成とし、
また、この外張りビニールの一方の妻面に吸込み用のファンを設け、他方の妻面にシャッター付き換気口を設ける構成とし、
前記吸込み用のファンからの風を、前記内張りビニールで形成した、栽培室の棟方向に送風するとともに、前記開放された外張りビニールの開閉口からの外気を、この内張りビニールの開口部を介して、当該内張りビニールの栽培室内に導入し、前記吸込んだ外気との間で、調合空気を生成し、作物に最適な、風の流れ及び／又は温湿度環境を確保するハウスの送風及び／又は換気方法であって、
前記外張りビニールの一方の妻面に設けた整流翼によるファンの風を、前記天井空間の棟方向に送風することを介して、前記ハウスに最適な、温湿度調整を図る構成としたハウスの送風及び／又は換気方法。
【発明の詳細な説明】
【技術分野】
【０００１】
本発明は、ハウス及び作物（果菜類、根菜類、花き類）に最適な温湿度の管理を図るハウスの送風及び／又は換気方法に関する。
【背景技術】
【０００２】
従来、ハウス内における作物を効率的に栽培し、かつその高品質を確保し、また省資源と、環境維持を達成するために、最も必要とするのは、ハウス内における送風方法（装置）及び／又は換気の方法（外気の吸込み／排気方法）である。そして、このハウス内における送風方法「ハウスの送風」及び／又は換気方法「ハウスの換気」に関しては、種々の方法があるが、その基本的な方法を、以下、説明する。
【０００３】
この「ハウスの送風」では、ファンによる風を、ハウスの長手方向（棟方向）に略水平方向へ送風し、さらに望ましくは、広域的な空気の流れを確保する方法である。この方法を確保し、例えば、前述の要望と、またこのハウスに設置する送風機の台数の減少化、並びに省資源化と、環境維持を達成する方法である。
【０００４】
また、この「ハウスの換気」では、［イ］  外張りビニールの棟方向の側面は、この側面箇所を構成する外張りビニール部位を、巻取り、又は巻戻しによる開閉口を設け、この開閉口より外気を吸込み、「ハウスの送風」（本出願人の出願中の発明、例えば、「ハウスの送風システム」、特開２００８−２２７４９の「ハウスの降温・換気方法」、また特開２００７−２４４３３６の「ハウスの換気システム」、等）を利用し、排気する方法、［ロ］  ハウスの谷側の外張りビニール部位を、巻取り、又は巻戻しによる開閉口を設け、前述と同様送風等を介して、排気する方法、又は、［ハ］  ハウス（ガラスハウス「温室」）の天井の開放で形成される開口を介して、外気を吸込み及び／又は内気の排気をする方法がある。この方法を確保し、例えば、前述の「ハウスの送風」と同じ特徴を発揮することにある。
【０００５】
しかし、現状では、この送風及び／又は換気を、それぞれ個別に配置し、ハウス及び作物に最適な温湿度の管理を図るのが一般的である。従って、前述したハウスに設置する送風機の台数の減少化、並びに省資源化と、環境維持を、確実、かつ効率的に達成するに十分とは考えられないのが現況である。この要望に応え得る「ハウスの送風」と「ハウスの換気」を組合せたハウスの送風及び／又は換気方法と、その装置を、先行文献の中で、調査したので、その内容を、以下に説明する。
【０００６】
文献（１）は、特開２００４−３１３２００の「ビニールシート巻き取り巻き戻し機」であり、この発明は、ビニールハウス内の換気を行なう換気装置であって、外張りビニールが巻かれている巻き取りパイプ（シャフト）を、モーター、ウォームギアー等を介して、可動し、このパイプを上下動し、外張りビニール（ハウスの側面、又は谷面、屋根面のビニールシート）を開閉する構造であり、この上下動を、リミットスイッチにより、確実に規制することを特徴とし、ビニールハウスの温度制御を、無人で、自動的に巻取り、巻戻しを図って管理することにある。
【０００７】
文献（２）は、特開２００５−１２４４０８の「ビニールハウス側面被覆材の巻き上げ部支持具」であり、この発明は、［０００２］〜［０００４］に記載の如く、外張りビニールの側面の外張りビニール部位（被覆材）を、巻上げて通気口を設け、ここより外気を取り込み、内部の温度や湿度を調整するため、換気が必要になる。また、一方で、降雨時に、この通気口から、雨が、ハウス内に浸入する恐れがあるので、作物に、水滴が直接当り、殊に、花卉類の栽培においては、うどんこ病が発生し易い。しかし、降雨時に、ビニールハウスを密閉しておくと、多湿状態になり、べと病、灰色かび病などの病害が多発するので、換気を中止することはできない。このような状況に対し、この文献（２）は、ビニールハウスの側面の外張りビニール部位を巻上げて通気口をつくる際に、外張りビニール部位の巻上げ部を外側に突き出させてひさし（庇、廂）を形成し、雨の侵入防止を図る、支持具を提供することを目的とする。
【０００８】
【特許文献１】特開２００４−３１３２００
【特許文献２】特開２００５−１２４４０８
【発明の開示】
【発明が解決しようとする課題】
【０００９】
前述した文献（１）と、文献（２）は、側面の外張りビニール部位を、巻取り、又は巻戻しによる開閉口を介して、開閉自在とする構造であり、所謂、「ハウスの換気（システム）」に留まる。従って、「ハウスの送風（システム）」を備えていないので、ハウスの温湿度管理を効率的、かつ確実に達成するには、問題を残している。また、送風機の台数の減少化、並びに省資源化と、環境維持を、確実、かつ効率的に達成するには、改良の余地がある。そして、また、前述した、本出願人が提案する発明も、主として、「ハウスの送風」を主体とすることから、前述の要望に応え得る「ハウスの送風」と「ハウスの換気」を組合せた特徴を発揮するには、更なる改良が望まれる処である。
【課題を解決するための手段】
【００１０】
【００１１】
【００１２】
【００１３】
【００１４】
【００１５】
【００１６】
請求項１の発明は、「ハウスの送風」と「ハウスの換気」を組合せた構造を採用し、このハウス内における風の流れと、外気の有効利用、並びにハウス内空気と、外気との混合を介して、ハウスの温湿度管理と、この温湿度管理を介して、作物の生育・生長の向上と、これらの均一化を図ること、品質の向上を図ること、さらに収穫量の増加を図ること、等を意図する。さらにこの請求項４の発明は、前述の組合せ、及び／又は混合空気の生成を介して、ハウス内において、その棟方向に略水平方向へ送風し、さらに広域的な空気の流れを確保しつつ、外気を有効利用することで、送風機の台数の減少化、並びに省資源化と、環境維持を、確実、かつ効率的に達成することを意図する。又は、前記目的を達成するに最適な、ファンと、このファンの風を有効利用することを意図する。
【００１７】
請求項１は、内外張りビニールで構成し、この内外張りビニールの天井空間及び側面空間を設けた二重ビニール張り構造のハウスにおいて、
この内張りビニールの妻面を開口部とするとともに、この内張りビニールの妻面と、前記外張りビニールの妻面の間に、多目的スペースを設け、
前記外張りビニールの棟方向の側面は、この側面箇所を構成する外張りビニール部位を、巻取り、又は巻戻しによる開閉口を介して、開閉自在とするとともに、前記内張りビニールの棟方向の側面は、この側面に開放した開口部を介して、開放する構成とし、
また、この外張りビニールの一方の妻面に吸込み用のファンを設け、他方の妻面にシャッター付き換気口を設ける構成とし、
前記吸込み用のファンからの風を、前記内張りビニールで形成した、栽培室の棟方向に送風するとともに、前記開放された外張りビニールの開閉口からの外気を、この内張りビニールの開口部を介して、当該内張りビニールの栽培室内に導入し、前記吸込んだ外気との間で、調合空気を生成し、作物に最適な、風の流れ及び／又は温湿度環境を確保するハウスの送風及び／又は換気方法であって、
前記外張りビニールの一方の妻面に設けた整流翼によるファンの風を、前記天井空間の棟方向に送風することを介して、前記ハウスに最適な、温湿度調整を図る構成としたハウスの送風及び／又は換気方法である。
【００１８】
【００１９】
【００２０】
【００２１】
【発明の効果】
【００２２】
【００２３】
【００２４】
【００２５】
【００２６】
【００２７】
【００２８】
請求項１の発明は、内外張りビニールで構成し、内外張りビニールの天井空間及び側面空間を設けた二重ビニール張り構造のハウスにおいて、
内張りビニールの妻面を開口部とするとともに、内張りビニールの妻面と、外張りビニールの妻面の間に、多目的スペースを設け、
外張りビニールの棟方向の側面は、側面箇所を構成する外張りビニール部位を、巻取り、又は巻戻しによる開閉口を介して、開閉自在とするとともに、内張りビニールの棟方向の側面は、側面に開放した開口部を介して、開放する構成とし、
また、外張りビニールの一方の妻面に吸込み用のファンを設け、他方の妻面にシャッター付き換気口を設ける構成とし、
吸込み用のファンからの風を、内張りビニールで形成した、栽培室の棟方向に送風するとともに、開放された外張りビニールの開閉口からの外気を、内張りビニールの開口部を介して、内張りビニールの栽培室内に導入し、吸込んだ外気との間で、調合空気を生成し、作物に最適な、風の流れ及び／又は温湿度環境を確保するハウスの送風及び／又は換気方法であって、
外張りビニールの一方の妻面に設けた整流翼によるファンの風を、天井空間の棟方向に送風することを介して、ハウスに最適な、温湿度調整を図る構成としたハウスの送風及び／又は換気方法である。
【００２９】
従って、請求項１は、「ハウスの送風」と「ハウスの換気」を組合せた構造を採用し、このハウス内における風の流れと、外気の有効利用、並びにハウス内空気と、外気との混合を介して、ハウスの温湿度管理と、この温湿度管理を介して、作物の生育・生長の向上と、これらの均一化が図れること、品質の向上が図れること、さらに収穫量の増加が図れること、等の特徴を有する。さらにこの請求項１は、前述の組合せ、及び／又は混合空気の生成を介して、ハウス内において、その棟方向に略水平方向へ送風し、さらに広域的な空気の流れを確保しつつ、外気を有効利用できることで、送風機の台数の減少化、並びに省資源化と、環境維持を、確実、かつ効率的に達成できる実益を有する。また、前記目的を達成するに最適な、ファンと、このファンの風を有効利用できること等の特徴を有する。
【００３０】
【００３１】
【００３２】
【００３３】
【発明を実施するための最良の形態】
【００３４】
本発明の一例を説明する。
【００３５】
図面の説明をすると、図１は、内外張りビニールでなる二重ビニール張りハウス（ハウス）の構造を示した一部欠截の模式図、図２は、図１のハウスの枠材を示した模式図、図３は、図１の一部欠截の側面図、図４は、図１の断面図、図５は、二連ハウス（二連棟ハウス）の風の流れを示した断面図、図６は、多連ハウス（三連棟ハウス）の風の流れを示した断面図、また図７は、他の内外張りビニールでなる二重ビニール張りハウスの一部欠截の側面図である。
【００３６】
以下、本発明の好ましい、一実施例を説明する。
【００３７】
最初の内外張りビニール１、２を張装した二重ビニール張りハウスＡ（ハウスＡとする）の構造を説明すると、この外張りビニール２は、枠材３を介して、構築されており、その棟方向Ｘの側面２００は、側面箇所（両側面）を構成する外張りビニール部位２ａ、２ｂ等を、巻取り、又は巻戻しによる開閉口４を介して、開閉自在とする。尚、この外張りビニール部位２ａ、２ｂ等の、巻取り、又は巻戻しは、従来の方法（構造）と同様であり、例えば、回転可能な巻取り杆（パイプ）５とモーター等の駆動部５ａを介して、操作することが望ましい。尚、他の方法で、外張りビニール部位２ａ、２ｂ等の、巻取り、又は巻戻しを行なうことも可能である。
【００３８】
また、内張りビニール１は、枠材６を介して、構築されており、その棟方向Ｘの側面１００は、開口部７ａを介して、開放する構成である。また、その妻面１０１は、開口部７ｂであり、この開口部７ｂは、妻面１０１の全面、又は一部とする。
【００３９】
そして、この外張りビニール２の妻面２０１と、内張りビニール１の妻面１０１との間には、多目的スペース（隙間）８、９を設ける。そして、この多目的スペース８は、吸込み空気により、この妻面２０１と、妻面１０１との間に滞留する空気を誘引し、その棟方向Ｘの流れを確保し、例えば、温湿度の均一化と、ハウスＡの環境維持を図る。また、この多目的スペース９を流れる排気で、この妻面２０１、１０１との間に滞留する空気と、内外張りビニール１、２間の上方に設けた天井空間１１ａ（主として）、及び／又は内外張りビニール１、２間の側面に設けた側面空間１１ｂ（外張りビニール２の外張りビニール部位２ａ、２ｂの閉塞時）に滞留する空気を誘引し、ハウスＡの外部に排気し、例えば、栽培室１２及び／又はハウスＡの温湿度の均一化と、栽培室１２及び／又はハウスＡの環境維持が図れる。尚、この天井空間１１ａ及び／又は側面空間１１ｂは、緩衝空気域として機能し、外気の温湿度と、栽培室１２の温湿度の緩衝（断熱効果）を発揮する。さらには、多目的スペース８は、外気の寒冷又は熱暑状態から、例えば、栽培室１２及び／又はハウスＡの温湿度の変化を緩和できること（緩衝帯域としての機能）と、栽培室１２及び／又はハウスＡの環境維持が図れる。また、図７の如く、天井空間１１ａの棟方向Ｘ又は梁方向Ｙに、一基又は数基（一列又は数列）循環扇１３（送風扇、ファン等の手段）を設け、この天井空間１１ａの空気の流れを確保することにより、前述した各特徴をより充実することが可能となり、有益である。
【００４０】
また、外張りビニール２の一方の妻面２０１に吸込み用のファン１５を設け、他方の妻面２０１にシャッター付き換気口（シャッター付き換気扇、又は換気扇）１６を設ける構成である。
【００４１】
続いて、本発明の送風及び／又は換気方法について説明すると、外張りビニール２の一方の妻面２０１に整流翼１５ａと、羽根１５ｂを備えたファン１５を介して、外気を吸込み、他方の妻面２０１にシャッター付き換気口１６に向かって栽培室１２内を棟方向Ｘに向かって送風２０する（送風２０される空気である）。この送風２０に誘引されるようにして、外張りビニール２の開閉口４からの外気２０ａが、内張りビニール１の開口部７ａ、７ｂを介して、略ストレートに、かつ瞬時に、内張りビニール１の栽培室１２内に導入される。この際に、外気２０ａは、栽培室１２を、棟方向Ｘに流れる送風２０により、誘引されるとともに、この外気２０ａは、送風２０される空気と混合され、内外気の混合状態の空気（調合空気２５）となり、この調合空気２５を栽培室１２に送風して活用することで、例えば、作物に最適な、風の流れ及び／又は略均一な温湿度環境の確保と、この温湿度環境の均一化が確保できる。また、この均一化を図ることで、品質の向上と、さらに収穫量の増加が図れる。
【００４２】
また、内張りビニール１の栽培室１２の天井１２ａのやや下側に、ファン１５及び／又はシャッター付き換気口１６を設けることで、この栽培室１２内を棟方向Ｘに向かって送風２０できる。そして、この送風２０の際に、前述の如く、妻面２０１と、妻面１０１との間に滞留する空気２１の誘引と、また、内外張りビニール１、２の天井空間１１ａに滞留する空気２１ａを誘引し、ハウスＡの外部に排気できる。従って、例えば、栽培室１２及び／又はハウスＡの温湿度の均一化と、栽培室１２及び／又はハウスＡの環境維持を図れることは前述の通りである。
【００４３】
尚、図５と、図６は連棟ハウスＡ１を示しており、その構造及び方法は、前述の説明に準ずる。そして、この実施例では、「谷換気方法」を合わせて採用することが基本である。図中３０は、この谷換気の装置を示し、また谷換気に採用される外張りビニール部位２ｃ、２ｄ等は、巻取り、又は巻戻しによる開閉口３１が形成される。そして、この開閉口３１より、外気２０ａが、内張りビニール１の栽培室１２内に導入される。その後の風の流れと、効果は、前述の例に準ずる。
【図面の簡単な説明】
【００４４】
【図１】図１は、内外張りビニールでなる二重ビニール張りハウス（ハウス）の構造を示した一部欠截の模式図
【図２】図２は、図１のハウスの枠材を示した模式図
【図３】図３は、図１の一部欠截の側面図
【図４】図４は、図１の断面図
【図５】図５は、二連ハウス（二連棟ハウス）の風の流れを示した断面図
【図６】図６は、多連ハウス（三連棟ハウス）の風の流れを示した断面図
【図７】他の内外張りビニールでなる二重ビニール張りハウスの一部欠截の側面図
【符号の説明】
【００４５】
Ａ        二重ビニール張りハウス（ハウス）
Ａ１      連棟ハウス
１        内張りビニール
１００    側面
１０１    妻面
２        外張りビニール
２００    側面
２０１    妻面
２ａ      外張りビニール部位
２ｂ      外張りビニール部位
２ｃ      外張りビニール部位
２ｄ      外張りビニール部位
３        枠材
４        開閉口
５        巻取り杆
５ａ      駆動部
６        枠材
７ａ      開口部
７ｂ      開口部
８        多目的スペース
９        多目的スペース
１１ａ    天井空間
１１ｂ    側面空間
１２      栽培室
１２ａ    天井
１３      循環扇
１５      ファン
１５ａ    整流翼
１５ｂ    羽根
１６      シャッター付き換気口
２０      送風
２０ａ    外気
２１      空気
２１ａ    空気
２５      調合空気
３０      谷換気の装置
３１      開閉口
Ｘ        棟方向
Ｙ        梁方向
【図１】
0005289814.tif 000002
【図２】
0005289814.tif 000003
【図３】
0005289814.tif 000004
【図４】
0005289814.tif 000005
【図５】
0005289814.tif 000006
【図６】
0005289814.tif 000007
【図７】
0005289814.tif 000008